(57)【要約】【課題】従来の情報再生装置では、多重記録領域内の目的アドレス付近に傷や埃がありアドレスが正しく読めない場合にシークエラーが発生し、リトライを実行するため情報の再生に要する時間が長くなっていた。【解決手段】目的アドレスが多重記録領域であるかどうかを判断する多重記録領域判断手段１１と、多重記録領域判断手段の結果に応じてシークの完了範囲を変更するシーク完了範囲変更手段１２とを備え、シーク完了範囲を変更した後シークを行うことでシークエラーの発生をなくし、リトライなしで情報を再生し、情報の再生に要する時間を短縮する。【選択図】図１
2007133946.tif 000002
【特許請求の範囲】
【請求項１】
同一内容の情報を連続して複数回記録している多重記録領域を少なくとも１つ以上有する記録媒体から情報を再生する装置において、再生する情報の前記記録媒体上の位置が前記多重記録領域であるかどうかを判断する多重記録領域判断手段と、前記多重記録領域判断手段の結果に応じてシークの完了範囲を変更するシーク完了範囲変更手段とを備えることを特徴とする情報再生装置。
【請求項２】
シーク完了範囲変更手段で、シーク完了範囲の開始位置を多重記録領域の開始位置よりもＮ（Ｎは０以上の整数値）セクタ手前とし、シーク完了範囲の終了位置を多重記録領域の終了位置よりもＭ（Ｍは０以上の整数値）セクタ手前とすることを特徴とする請求項１記載の情報再生装置。
【発明の詳細な説明】
【技術分野】
【０００１】
本発明は、記録媒体から情報を再生する情報再生装置に関するものである。
【背景技術】
【０００２】
ＤＶＤなどの記録媒体上に記録された情報を再生する情報再生装置は、記録媒体上の情報を再生する時に、再生する情報の記録媒体上の位置を目的アドレスとして、その目的アドレスに対してシークを行い、シーク完了後目的アドレスから情報の再生を行う。このとき、シークが完了したかどうかは、シーク後の位置が目的アドレスから決定される所定のシーク完了範囲に入っているかどうかで判断している。
【０００３】
従来の情報再生装置では、このシーク完了範囲は、（目的アドレス−Ｌセクタ）から（目的アドレス−Ｋセクタ）までの範囲としていた。ここで、Ｌ、Ｋはいずれも０以上の整数値であり、（Ｌ―Ｋ）は記録媒体上において目的アドレスが存在する位置での記録媒体１周分のセクタ数以上の整数値である。
【０００４】
図７は従来の情報再生装置の処理手順を示すフローチャートである。記録媒体から情報を再生するときに、まずシークの目的アドレスを設定する（図７ステップ７０１）。次に設定した目的アドレスにシークを行う。（図７ステップ７０２）。シークでエラーが発生したかどうかを確認し（図７ステップ７０３）、エラーがなければリードを行う（図７ステップ７０４）。リードでエラーが発生したかどうかを確認し（図７ステップ７０５）、エラーがなければ終了し、次の処理に移行する。もし、シークやリードでエラーが発生した場合、リトライ時の設定変更を行い（図７ステップ７０６）、再び図７ステップ７０１に戻り処理を繰り返す。
【０００５】
リトライ時の設定変更については、従来の情報再生装置においても様々な方法があり、何も設定変更せずにリトライする方法や、回転速度あるいはトラッキングバランス等を変更する方法、記録媒体上の傷などによるシークエラーを考慮してシークの完了範囲を変更する方法などがあった（例えば特許文献１参照）。
【０００６】
ＤＶＤなどの記録媒体では、記録媒体が準拠している規格やＶｅｒｓｉｏｎ、ディスクのサイズや構造、記録されている情報の開始位置、終了位置などの記録媒体から情報を再生するにあたり最初に必要となる重要な情報がＣｏｎｔｒｏｌ  ｄａｔａ  ｚｏｎｅ（以下、コントロールデータゾーンと示す）と呼ばれる領域に記録されている。このコントロールデータゾーンは、記録媒体から情報を再生するにあたり非常に重要な情報であることから、同一内容の情報が連続して複数回記録されている多重記録領域である。このように同一内容の情報が連続して複数回多重記録されているのは、この情報が非常に重要な情報であるため、記録媒体上の傷や埃、外乱などの要因で多重記録領域内のある位置の情報の再生ができなかった場合でも、多重記録領域内の別の位置の情報を再生することで、この記録媒体からの情報再生を可能とするためである。
【特許文献１】特開２００２−１６３８６９号公報
【発明の開示】
【発明が解決しようとする課題】
【０００７】
従来の情報再生装置でこのような多重記録領域から情報を再生する場合、多重記録領域内のいずれかの位置を目的アドレスとして設定し、情報の再生を行っている。
【０００８】
上述のようにこの多重記録領域の情報は、記録媒体から情報を再生するにあたり最初に必要となる重要な情報であるので、従来の情報再生装置では、この多重記録領域へのシークでエラーが発生した時のリトライ処理は、記録媒体上の他の位置へのシークでエラーが発生した時よりも多く実行するのが一般的である。しかし、シークの完了範囲については、リトライ時に変更することはあっても、最初に情報を再生する時は、多重記録領域ではない他の位置の情報を再生する時と区別せず、同じシーク完了範囲で実行されている。
【０００９】
従って、最初に設定した多重記録領域内の目的アドレス付近に傷などがあり、正しくアドレスが読めない場合には、シークエラーとなりリトライが実行されるため、記録媒体から情報を再生するのに時間を要するという課題があった。
【００１０】
また、リトライ時に目的アドレスを変更しなかった場合、リトライしてもシークエラーを繰り返し、多重記録領域から情報が再生できないと判断し、最悪の場合、この記録媒体からの情報の再生ができないと判断してしまうことがあるという課題もあった。
【００１１】
上述したように多重記録領域は、領域内の一部の情報が再生不可能な状態であったとしても領域内の他の領域から情報を再生することで、記録媒体から情報を再生するにあたり非常に重要な情報の再生を可能とする目的で設置されているため、最初に設定した多重記録領域内の目的アドレスへのシークでエラーとなった場合には、目的アドレスを多重記録内の別の位置に変更してリトライを行うことは容易に考えられることであり、従来の情報再生装置でも明記はされていないが、このような処理を実行していると推測される。
【００１２】
しかしながら、このように目的アドレスを多重記録領域内の別の位置に変更してリトライを行った場合でも、上述した記録媒体からの情報の再生ができないと判断してしまうという課題は解決できるが、リトライを実行することにより記録媒体から情報を再生するのに時間を要するという課題は解決できない。
【００１３】
本発明はかかる課題を解決し、多重記録領域から情報を再生する時に、多重記録領域内の目的アドレス付近に傷や埃がありアドレスが正しく読めない場合でも、シークエラーとならず、シークを完了し、情報の再生を可能とする情報再生装置を提供することを目的とする。
【課題を解決するための手段】
【００１４】
上記課題を解決するために、本発明の情報再生装置は、再生する情報の記録媒体上の位置が多重記録領域であるかどうかを判断する多重記録領域判断手段と、多重記録領域判断手段の結果に応じてシークの完了範囲を変更するシーク完了範囲変更手段とを備えて構成している。
【発明の効果】
【００１５】
本発明は、同一内容の情報を連続して複数回記録している多重記録領域を少なくとも１つ以上有する記録媒体から情報を再生する装置において、多重記録領域内の目的アドレスとして設定した位置に傷や埃があり、従来であればシークエラーとなるような状態であった場合でも、シークエラーとならずシークを完了し、リトライ無しで多重記録領域から情報を再生することを可能とし、記録媒体からの情報の再生に要する時間を短縮することができる効果がある。
【発明を実施するための最良の形態】
【００１６】
以下、本発明の実施の形態について図面を参照しながら説明する。
【００１７】
（実施の形態１）
図１に、本発明の実施の形態１における情報再生装置のブロック図を示す。はじめに、図１を参照しながら、実施の形態１の情報再生装置の構成について説明を行う。
【００１８】
本情報再生装置は、同一内容の情報を連続して複数回記録している多重記録領域を少なくとも１つ以上有する記録媒体１にアクセスするアクセス手段（光ピックアップ）２と、記録媒体１を回転させるモーター３と、アクセス手段２とモーター３とを駆動するドライバ４と、アクセス手段２によって出力された情報を増幅するＲＦアンプ５と、ＲＦアンプ５から得られるフォーカス／トラッキングエラー信号をもとにドライバ４を制御するサーボ手段６と、ＲＦアンプ５の出力に対して復調、誤り訂正を行う再生処理手段７と、再生処理手段７によって出力された情報を格納するメモリ８と、メモリ８の入出力を制御するメモリ制御手段９と、メモリ８に格納された情報を外部へ出力する外部Ｉ／Ｆ手段１０と、再生する情報の記録媒体１上の位置が多重記録領域であるかどうかを多重記録領域判断手段１１で判断し、その判断結果に応じてシーク完了範囲変更手段１２でシーク完了範囲を変更した後、サーボ手段６、再生処理手段７、メモリ制御手段９を制御して、記録媒体１から情報を再生するシステム制御手段１３とを備えて構成されている。
【００１９】
次に、本情報再生装置の動作について説明を行う。図３は実施の形態１の情報再生装置の処理のフローチャートを示す図である。
【００２０】
また、記録媒体として、図２に示すようなＤＶＤ−ＲＯＭ  Ｖｅｒｓｉｏｎ１．０４規格に準拠したコントロールデータゾーンを有するディスクを例に挙げて説明する。
【００２１】
まず、図２を用いてディスクの構造について説明する。ディスクは内周部からＬｅａｄ  ｉｎ  ａｒｅａ（以下、リードインエリアと示す）、Ｄａｔａ  ａｒｅａ、Ｌｅａｄ  ｏｕｔ  ａｒｅａに分けられている。さらにリードインエリアは、５つの領域に分けられており、その中の１つがコントロールデータゾーンである。
【００２２】
このコントロールデータゾーンには、Ｃｏｎｔｒｏａｌ  ｄａｔａ  ｂｌｏｃｋ（以下、コントロールデータブロックと示す）と呼ばれるブロックが記録されており、このコントロールデータブロックが１９２回繰り返し記録されてコントロールデータゾーンは構成されている。
【００２３】
コントロールデータブロックは１６個のセクタで構成され、１番目のセクタにはＰｈｙｓｉｃａｌ  ｆｏｒｍａｔ  ｉｎｆｏｒｍａｔｉｏｎ（以下、ＰＦＩと示す）、２番目のセクタにはＤｉｓｃ  ｍａｎｕｆａｃｔｕｒｉｎｇ  ｉｎｆｏｒｍａｔｉｏｎ、３から１６番目のセクタにはＣｏｎｔｅｎｔｓ  ｐｒｏｖｉｄｅｒ  ｉｎｆｏｒｍａｔｉｏｎという情報が記録されている。この中で特にＰＦＩには、ディスクが準拠している規格とＶｅｒｓｉｏｎ、ディスクのサイズや構造、記録されている情報の開始位置、終了位置などのディスクから情報を再生するにあたり最初に必要となる重要な情報が記録されている。
【００２４】
コントロールデータゾーンのディスク上の位置はアドレス２Ｆ２００ｈから２ＦＤＦＦｈまでと決められており、１９２個のＥＣＣブロックで構成されている。ＥＣＣブロックは１６セクタで構成されており、ディスクから情報を再生する時の再生の最小単位はセクタではなくＥＣＣブロックになる。
【００２５】
以下の実施の形態１の説明において、図３を用いて説明する。
【００２６】
まず、初めて記録媒体がセットされ、情報の再生を開始する場合、システム制御手段１３がサーボ手段６に指示を出し、サーボ手段６がドライバ４を制御してモーター３を動作させ、記録媒体１を回転させる。
【００２７】
次に、サーボ手段６はドライバ４を制御してアクセス手段２を動作させる。アクセス手段２によって出力された情報を増幅するＲＦアンプ５ではフォーカス／トラッキングエラー信号が作成される。サーボ手段６はこのＲＦアンプ５からのエラー信号をもとに再びドライバ４に指示を出してアクセス手段２を動作させ、記録媒体１から情報を再生する準備を行う。
【００２８】
次にシステム制御手段１３は、コントロールデータゾーンからＰＦＩを再生して情報を取得するために、コントロールデータゾーン内の位置を目的アドレスとして設定する（図３ステップ３０１）。
【００２９】
次に、多重記録領域判断手段１１にて、記録媒体1の種別に基づいて目的アドレスが多重記録領域のアドレスかどうかを判断する（図３ステップ３０２）。
【００３０】
目的アドレスが多重記録領域のアドレスであると判断された場合、シーク完了範囲変更手段１２で、シーク完了範囲を（多重記録領域の先頭位置−Ｎセクタ）から（多重記録領域の終了位置−Ｍセクタ）までに設定する（図３ステップ３０３）。目的アドレスが多重記録領域のアドレスではないと判断された場合、シーク完了範囲変更手段１２でシーク完了範囲を（目的アドレス−Ｌセクタ）から（目的アドレス−Ｋセクタ）と設定する（図３ステップ３０４）。ここで、Ｎ、Ｍ、Ｌ、Ｋは０以上の整数値、（Ｌ―Ｋ）は記録媒体上において目的アドレスが存在する位置での記録媒体１周分のセクタ数以上の整数値である。上述のように、シーク完了範囲を設定した後、シークを行う(図３ステップ３０5)。シークでエラーが発生したかどうかを確認し（図３ステップ３０６）、エラーがなければリードを行う（図３ステップ３０７）。リードでエラーが発生したかどうかを確認し（図３ステップ３０８）、エラーがなければ終了し、次の処理に移行する。もし、シークやリードでエラーが発生した場合、リトライ時の設定変更を行い（図３ステップ３０９）、再び図３ステップ３０１に戻り処理を繰り返す。図３ステップ３０５からステップ３０９の処理については、従来の情報再生装置と同じである。
【００３１】
次に、図４を用いて、従来の情報再生装置と本発明の実施の形態１の動作の違いについて説明する。ここでは、ＤＶＤ−ＲＯＭ  Ｖｅｒｓｉｏｎ１．０４規格に準拠したコントロールデータゾーンを多重記録領域と考えた場合を例にとり、コントロールデータゾーンの中央付近の位置であるアドレス２Ｆ８００ｈを目的アドレスとして設定した場合の動作について述べる。
【００３２】
図４（ａ）はディスク構造を示したものであり、コントロールデータゾーンがアドレス２Ｆ２００ｈから２ＦＤＦＦｈまで多重記録領域として存在し、情報再生装置の目的アドレスとして２Ｆ８００ｈが指定されているとする。
【００３３】
図４（ｂ）、（ｃ）はそれぞれ従来の情報再生装置、本実施の形態１の情報再生装置でコントロールデータゾーンよりも内周の位置から目的アドレス２Ｆ８００ｈへシークを行うときの動作を示したものである。
【００３４】
目的アドレスを２Ｆ８００ｈとした場合、従来の情報再生装置でのシーク完了範囲は（２Ｆ２００ｈ−Ｌセクタ）から（２Ｆ２００ｈ−Ｋセクタ）となる。一方、本実施の形態１の情報再生装置では、目的アドレス２Ｆ８００ｈが多重記録領域のアドレスであると判断し、シーク完了範囲を変更するので、シーク完了範囲は（２Ｆ２００ｈ―Ｎセクタ）から（２ＦＤＦＦｈ―Ｍセクタ）となる。ここで、Ｎ、Ｍ、Ｌ、Ｋは０以上の整数値であり、（Ｌ―Ｋ）は記録媒体上において目的アドレスが存在する位置での記録媒体１周分のセクタ数以上の整数値である。
【００３５】
従来の情報再生装置では、最初のシーク後の位置が（２Ｆ２００ｈ―Ｌセクタ）よりも内周だった場合、シーク後の位置がシーク完了範囲内になるまでシークを繰り返し、シーク完了範囲内になった場合にシークが完了し、リードが実行される。
【００３６】
一方、本実施の形態１の情報再生装置では、シーク開始前に目的アドレスが多重記録領域であるコントロールデータゾーン内のアドレスであると判断し、シーク完了範囲を（２Ｆ２００ｈ−Ｎセクタ）から（２Ｆ２００ｈ−Ｍセクタ）までに変更した後、シークを行う。既に最初のシーク後の位置がシーク完了範囲内であるので、即シーク完了し、リードが実行される。
【００３７】
シークの目的アドレスは２Ｆ８００ｈとしているが、２Ｆ２００ｈから２ＦＤＦＦｈまでは同じ内容の情報が繰り返し記録されているため、シークが完了できればシーク後に即リードを実行し、その位置の情報を読み出せば所望の情報を取得することができる。
【００３８】
以上のように、本実施の形態１によれば、シークの目的アドレスが多重記録領域のアドレスと判断した場合、シーク完了範囲を（多重記録領域の先頭位置―Ｎセクタ）から（多重記録領域の終了位置―Ｍセクタ）までに変更するため、従来の情報再生装置と同等以下のシーク回数でシークを完了し、リードを実行することができるため、情報の再生に要する時間を従来の情報再生装置と同等以下にすることが可能である。
【００３９】
次に、多重記録領域内の目的アドレス付近にアドレスが正しく読めない領域がある場合の動作について、図５を参照しながら説明を行う。ここでは、アドレスが正しく読めない領域にシークで入ってしまった場合、トラッキングがはずれて内周側に戻される場合を例にとり説明する。シークの完了範囲の設定は上述と同様である。
【００４０】
図５（ｂ）に示すように従来の情報再生装置では、アドレスが正しく読めない領域にシークで入ってしまい、その後アドレスが正しく読めない領域よりも内周側の位置のアドレスが読めるが、シーク完了範囲内ではないため、シークエラーと判断し、目的アドレスを変更し、それに応じてシーク完了範囲も変更した後、シークを行う。
【００４１】
一方、本実施の形態１の情報再生装置では、アドレスが正しく読めない領域にシークで入ってしまい、その後アドレスが正しく読めない領域よりも内周側の位置のアドレスが読めた時点でシーク完了となり、リードを実行することができる。
【００４２】
以上のように本実施の形態１によれば、シークの目的アドレスが多重記録領域のアドレスと判断した場合、シーク完了範囲を（多重記録領域の先頭位置―Ｎセクタ）から（多重記録領域の終了位置―Ｍセクタ）までに変更するため、従来の情報再生装置ではシークエラーとなり、目的アドレスを変更してシークのリトライを実行するような場合であっても、本実施の形態１の情報再生装置では、シークエラーとならずシークを完了し、リードを実行することができるため、情報の再生に要する時間を従来の情報再生装置よりも短縮することが可能である。
【００４３】
次に、多重記録領域の全領域が、アドレスが正しく読めない領域である場合の動作について、図６を参照しながら説明を行う。シークの完了範囲の設定は上述と同様である。
【００４４】
図６のような状況の場合、従来の情報再生装置であっても、本実施の形態１の情報再生装置であっても、シーク完了範囲内のアドレスは正しく読めないので、シークエラーとなり、何度リトライ処理を行ってもエラーとなり、コントロールデータゾーンの情報を正しく再生することはできず、この記録媒体から情報の再生ができないと判断される。
【００４５】
従って、シークの目的アドレスが多重記録領域のアドレスと判断した場合、シーク完了範囲を（多重記録領域の先頭位置―Ｎセクタ）から（多重記録領域の終了位置―Ｍセクタ）までに変更することにより、処理時間が増加するようなことはなく、従来の情報再生装置と同様の動作性能を有することができる。
【００４６】
以上、図４、図５、図６を用いて、多重記録領域が正常な場合、多重記録領域の一部にアドレスが正しく読めない領域がある場合、多重記録領域の全領域でアドレスが読めない場合のそれぞれについて、従来の情報再生装置と本実施の形態１の情報再生装置の動作について説明を行ったが、いずれの場合においても、従来の情報再生装置よりも情報の再生に要する時間が長くなることはなく、正常な場合や一部アドレスが読めない領域がある場合では、従来の情報再生装置よりも情報の再生に要する時間を同等以下に短縮することが可能である。
【００４７】
なお、本実施の形態では、記録媒体として図２に示すようなＤＶＤ−ＲＯＭ  Ｖｅｒｓｉｏｎ１．０４規格に準拠したコントロールデータゾーンを有するディスクを例にあげ、このコントロールデータゾーンを多重記録領域として考えた場合を例にあげて説明したが、同一内容の情報を複数回連続して記録している多重記録領域を有する記録媒体、例えば、ＤＶＤ−Ｒ、ＤＶＤ−ＲＷ、ＤＶＤ−ＲＡＭ、ＤＶＤ+Ｒ、ＤＶＤ+ＲＷであれば同様に実施可能であることはいうまでもない。また、多重記録領域もコントロールデータゾーンに限るものではないことはいうまでもない。
【００４８】
なお、本実施の形態では、シーク目的アドレスとして多重記録領域の中央の値である２Ｆ８００ｈという値を例にとり説明したが、多重記録領域内のいずれかのアドレスをシーク目的アドレスとした場合でも同様に実施可能であることはいうまでもない。
【産業上の利用可能性】
【００４９】
本発明の情報再生装置は、同一内容の情報を連続して複数回記録している多重記録領域を少なくとも１つ以上有する記録媒体から情報を再生する装置において、多重記録領域内の目的アドレスとして設定した位置に傷や埃があり、従来であればシークエラーとなるような状態で合った場合でも、シークエラーとならずシークを完了し、リトライ無しで多重記録領域から情報を再生することを可能とし、記録媒体からの情報の再生に要する時間を短縮することができ、有用である。
【図面の簡単な説明】
【００５０】
【図１】本発明の実施の形態１の情報再生装置のブロック図
【図２】ＤＶＤ―ＲＯＭ  Ｖｅｒ．１．０４のディスクの構造図
【図３】本発明の実施の形態１に係るシステム制御手段の一処理手順を示すフローチャート
【図４】本発明の実施の形態１に係る情報再生装置の動作を示す図
【図５】本発明の実施の形態１に係る情報再生装置の動作を示す図
【図６】本発明の実施の形態１に係る情報再生装置の動作を示す図
【図７】従来の情報再生装置の動作を説明するフローチャート
【符号の説明】
【００５１】
１    記録媒体
２    アクセス手段
３    モーター
４    ドライバ
５    ＲＦアンプ
６    サーボ手段
７    再生処理手段
８    メモリ
９    メモリ制御手段
１０    外部Ｉ／Ｆ手段
１１    多重記録領域判断手段
１２    シーク完了範囲変更手段
１３    システム制御手段
【図１】
2007133946.tif 000003
【図２】
2007133946.tif 000004
【図３】
2007133946.tif 000005
【図４】
2007133946.tif 000006
【図５】
2007133946.tif 000007
【図６】
2007133946.tif 000008
【図７】
2007133946.tif 000009